(57)【要約】      （修正有）【課題】構造が簡単で精確に長さが測定できるとともに、マーキング可能なマーカー付き長さ測定器を提供する。【解決手段】長さ方向に長さ測定用の目盛り４が設けられたスケール１上を前後にスライド可能なスライダ２に、被測定物に所望の目盛り位置においてマーキングするマーカー３が付設して長さ測定器を形成する。また、スライダ２は、スケール１上に目盛り４が透視できるとともに、スケール１の長さ方向に直交するカーソル線１３が付された透視板１２を備え、マーカー３は、被測定物を測定して所望の目盛り４に重なっているカーソル線１３の延長線上で被測定物に押印する押印具を備える。【選択図】図１
0003174564.tif 000002
【実用新案登録請求の範囲】
【請求項１】
長さ方向に長さ測定用の目盛りが設けられたスケール上を前後にスライド可能なスライダに、被測定物に所望の目盛り位置においてマーキングするマーカーが付設されているマーカー付き長さ測定器において、
前記スライダは、前記スケール上に前記目盛りが透視できるとともに、前記スケールの長さ方向に直交するカーソル線が付された透視板を備え、
前記マーカーは、前記被測定物を測定して所望の目盛りに重なっているカーソル線の延長線上で前記被測定物に押印する押印具を備えていることを特徴とするマーカー付き長さ測定器。
【請求項２】
前記スケールが直定規であることを特徴とする請求項１記載のマーカー付き長さ測定器。
【請求項３】
前記スケールが巻尺から引き出された帯であることを特徴とする請求項１記載のマーカー付き長さ測定器。
【請求項４】
前記スライダが前記巻尺を着脱自在に装着可能なホルダーを備えていることを特徴とする請求項３に記載のマーカー付き長さ測定器。
【請求項５】
前記マーカーが前記スライダの両側において挿入・引出可能であることを特徴とする請求項１〜４のいずれか１項に記載のマーカー付き長さ測定器。
【考案の詳細な説明】
【技術分野】
【０００１】
本考案は、スケール上をスライドして所定の長さ位置にマーキングすることができるマーカーを備えたマーカー付き長さ測定器に関する。
【背景技術】
【０００２】
被測定物に長さ測定用の目盛りが設けられたスケールを当て、所望の目盛り位置をマーキングして長さを測定したり線を引いたりしている。
【０００３】
特許文献１には、目盛の読み取りを不要とし、長さなどを間違いなく簡単かつ高精度に測定できるデジタル表示式ものさしとして、目盛を有する目盛部の目盛方向に沿って形成されたガイドに沿って移動自在に設けられたスライダの移動量を検出する変位検出器と、この変位検出器で検出された移動量をデジタル表示するデジタル表示器とを備え、スライダには筆記具ホルダーが取り付け可能になっているデジタル表示式ものさしが記載されている。
【０００４】
また、特許文献２には、測定位置に正確に目印を入れることができる印字機構付き巻尺として、引き出されるスケールに沿って底部が平坦となった巻尺に取付けて使用する印字機構であって、巻尺の底部に取付ける取付け板部と、取付け板部に連結されて上表面には引き出されたスケールが載りかつスケールの幅より広い幅を有して上又は横から視認できる基準目盛りを備えたガイド板部と、ガイド板部の底部に設けられ基準目盛りに位置を合わせて測定位置を印字する印刷部とを有する印字機構付き巻尺が提案されている。
【先行技術文献】
【特許文献】
【０００５】
【特許文献１】特開平０８−１８４４２７号公報
【特許文献２】実用新案登録第３１７０４０９号公報
【考案の概要】
【考案が解決しようとする課題】
【０００６】
前記特許文献１に記載されたデジタル表示式物差しは、スライダの移動量を検出する変位検出器と、検出された移動量をデジタル表示するデジタル表示器を必要とするために、構造が複雑となり、また、これらを駆動するための電源も必要とし、電源がないと使用できないという問題もある。
【０００７】
また、前記特許文献２に記載された印字機構付き巻尺は、スケール及びガイド板部の下部に印字機構が配置されており、スケールが浮き上がった状態で測定しまた、スケールとガイド板部の上から押して印字するので、スケールと印字機構がずれてしまい精確な測定及び印字ができない場合がある。
【０００８】
また、スケール端部の下部に印字機構が配置されているので、ｍｍ単位の印字ができないという欠点がある。
【０００９】
そこで、本考案は、構造が簡単で精確に長さが測定できるとともに、精確な位置にマーキングが可能なマーカー付き長さ測定器を提供するものである。
【課題を解決するための手段】
【００１０】
請求項１に記載の考案は、長さ方向に長さ測定用の目盛りが設けられたスケール上を前後にスライド可能なスライダに、被測定物に所望の目盛り位置においてマーキングするマーカーが付設されているマーカー付き長さ測定器において、前記スライダは、前記スケール上に前記目盛りが透視できるとともに、前記スケールの長さ方向に直交するカーソル線が付された透視板を備え、前記マーカーは、前記被測定物を測定して所望の目盛りに重なっているカーソル線の延長線上で前記被測定物に押印する押印具を備えていることを特徴とするマーカー付き長さ測定器である。
【００１１】
請求項２に記載の考案は、前記スケールが直定規であることを特徴とする請求項１記載のマーカー付き長さ測定器である。
【００１２】
請求項３に記載の考案は、前記スケールが巻尺から引き出されたスケールであることを特徴とする請求項１記載のマーカー付き長さ測定器である。
【００１３】
請求項４に記載の考案は、前記スライダが前記巻尺を着脱自在に装着可能な巻尺ホルダーを備えていることを特徴とする請求項３に記載のマーカー付き長さ測定器である。
【００１４】
請求項５に記載の考案は、前記マーカーが前記スライダの両側において挿入・引出可能であることを特徴とする請求項１〜４のいずれか１項に記載のマーカー付き長さ測定器である。
【考案の効果】
【００１５】
本考案のマーカー付き長さ測定器は、スライダはスケール上を前後にスライド可能に配置され、マーカーは、被測定物に所望の目盛りの位置においてマーキング可能にスライダに付設されているので、簡単な構造で精確に長さが測定可能であり、且つ印字の際に、スケールを動かすことなくマーキングできるので精確にマーキングすることができる。
【図面の簡単な説明】
【００１６】
【図１】実施例１のマーカー付き長さ測定器の斜視図である。
【図２】実施例１のマーカー付き長さ測定器のマーカーの装着状態を示す斜視図である。
【図３】実施例２のマーカー付き長さ測定器の斜視図である。
【図４】図３のＡ−Ａ断面図を示す図である。
【考案を実施するための形態】
【００１７】
本考案の実施例について図面を参照しながら説明する。
【実施例１】
【００１８】
本実施例１の長さ測定器は、図1、図２に示すように、スケール１と、スライダ２と、マーカー３とから構成される。スケール１は長さ方向に長さ測定用の目盛り４が付された帯状のスケール１を巻尺５から引き出して使用され、スライダ２はスケール上を前後にスライド可能に配置され、マーカー３は、被測定物に所望の目盛り４の位置においてマーキング可能にスライダ２に付設されている。
【００１９】
スケール１は巻尺５から引き出される目盛り４が付された金属製帯からなる周知の巻尺５のスケール１を使用する。スケール１の引き出し側の端部には、被測定物の角に掛けるフック６が設けられておりさらに、スケール１が自動的に巻き戻されるのを停止させるストッパー７が設けられており、ストッパー７でスケール１を停止させると、スライダ２はスケール１上を前後にスライド可能となる。
【００２０】
スライダ２は巻尺５を着脱自在に装着可能な巻尺ホルダー８を設ける。本実施例では、巻尺５を取り囲んで保持する枠状の巻尺ホルダー８が設けられる。枠状の巻尺ホルダー８には、巻尺５を巻尺ホルダー８に押しつけて固定する固定用ねじ９が３箇所に設けられており、固定用ねじ９を締めることにより巻尺ホルダー８内の巻尺５を枠状の巻尺ホルダー８に押しつけて保持し、固定用ねじ９を緩めることにより巻尺ホルダー８内の巻尺５を取り出すことが可能となる。
【００２１】
巻尺ホルダー８のスケール１の引き出し側には、縦断面が門形のスケールガイド１０が巻尺ホルダー８と一体に設けられている。スケール１は、上部と両側部がスケールガイド１０に囲われて巻尺ホルダー８の下からスケールガイド１０に沿って引き出されたりあるいは戻されたりする。
【００２２】
スケールガイド１０の上部には開口部１１が形成されており、スケール１の目盛り４が透視可能となっている。開口部１１は、スケール１の目盛り４が透視可能な透明あるいは半透明の樹脂製の透視板１２で覆われる。透視板１２にはスケール１の長さ方向に直交する、赤色あるいは黒色などの直線のカーソル線１３が付されている。カーソル線１３は所望の目盛り４に重ねられて測定位置が示される。
【００２３】
透視板１２の一端にはマーカー３を支持する支持部１５が連設されており、スケールガイド１０の上部にスケール１の長さ方向に対向して設けられた透視板ガイド溝１４に透視板１２が摺動自在に保持される。透視板１２はスケール１の長さ方向に直交する方向に両側で出し入れ自在に支持される。図２に示すように、マーカー３を支持する支持部１５が連設された透視板１２が両側において出し入れできるので、測定箇所や所望のマーキング場所に応じてマーカー３を入れ替えることによりマーキングする位置を変更することが可能となる。
【００２４】
スライダ２には、被測定物に所望の目盛り４の位置においてマーキングするマーカー３が付設される。本実施例では、透視板１２をスケールの外側に延長して形成したマーカー支持部１５にマーカー３が支持固定される。
【００２５】
マーカー３は、図４のマーカー３に示すように、所定の目盛り４の位置に重なるカーソル線１３の延長線上で被測定物に押印する押印具１６を備えている。マーカー３には、上からスプリング２１に抗して押圧することによりマークを繰り返し押印することができる周知の押印具１６を使用することができる。
【００２６】
本実施例の長さ測定器の使用方法について説明する。
巻尺５からスケール１を引き出してフック６を被測定物の角に掛けて、測定に必要な長さを超えて引き出し、ストッパー７でスケール１を停止させる。次いで、スライダ２をスケール１上でスライドさせてカーソル線１３を移動させる。カーソル線１３が所望の位置の目盛り４に重なると、押印具１６を上から押圧することにより被測定物にマークを押印する。
【実施例２】
【００２７】
本実施例２の長さ測定器は、図1に示すように、スケール１と、スライダ２と、マーカー３とから構成される。スケール１には長さ方向に長さ測定用の目盛り４が付された直定規が使用され、スライダ２はスケール１上を前後にスライド可能に配置され、マーカー３は、被測定物に所望の目盛り４の位置においてマーキング可能にスライダ２に付設されている。
【００２８】
スケール１はスライダ２が前後にスライド可能な長尺のスライダガイドバー１７に配置される。本実施例では、スケール１はスライダガイドバー１７の表面に長手方向に形成されたスケール収納溝１８に配置されている。スケール１の端部には、被測定物の角に掛けるフック６が着脱自在に設けられている。フック６を外すことにより、ｍｍ単位の測定とマーキングが可能になる。
【００２９】
スライダガイドバー１７の両側には、スライダ２をスライド可能に係止してガイドするガイド溝１９が長手方向に形成されている。一方、スライダ２は縦断面が門形に形成され、その両側の側壁２０がスライダガイドバー１７のガイド溝１９にスライド可能に係止される。スライダガイドバー１７の一端には、スライダ２が抜けるのを防止するためのフック６付きのストッパー７が取り付けられる。
【００３０】
スライダ１の上部には開口部１１が形成されており、スケール１の目盛りが透視可能となっている。開口部１１は、スケール１の目盛り４が透視可能な透明あるいは半透明の樹脂製の透視板１２で覆われる。透視板１２にはスケール１の長さ方向に直交する、赤色あるいは黒色などの直線のカーソル線１３が付されている。カーソル線１３は所望の目盛り４に重ねられて測定位置が示される。
【００３１】
透視板１２の一端にはマーカー３を支持する支持部１５が連設されており、スケールガイド１０の上部にスケール１の長さ方向に対向して設けられた透視板ガイド溝１４に透視板１２が摺動自在に保持される。透視板１２はスケール１の長さ方向に直交する方向に両側で出し入れ自在に支持される。両側で出し入れできるので、測定箇所やマーキング場所によってマーカー３を入れ替えることによりマーキングする側を変更することが可能となる。
【００３２】
スライダ２には、被測定物に所望の目盛り４の位置においてマーキングするマーカー３が付設される。本実施例では、透視板１２をスケールの外側に延長して形成したマーカー支持部１５にマーカー３が支持固定される。
【００３３】
マーカー３は、所定の目盛り４の位置に重なるカーソル線１３の延長線上で被測定物に押印する押印具１６を備えている。マーカー３には、上からスプリング２１に抗して押圧することによりマークを繰り返し押印することができる周知の押印具を使用することができる。
【００３４】
スライダ２にはスライダ２がスライダガイドバー１７を移動しないように固定する固定ねじ２２が設けられ、さらに長さ測定器を吊り下げて保管するためにフック等の吊り下げ具２３を倒伏自在に設けてもよい。吊り下げ具２３を起こすことにより、スライダ２をスライドさせる際の取手として使用することができる。
【００３５】
本実施例の長さ測定器の使用方法について説明する。
スケール１のフック６を被測定物の角に掛けた後、スライダ２をスライダガイドバーに沿ってスライドさせてカーソル線１３をスケール１上で移動させる。カーソル線１３が所望の位置の目盛り４に重なると、押印具１６を上から押圧することにより被測定物にマークを押印する。
【符号の説明】
【００３６】
１：スケール                ２：スライダ
３：マーカー                ４：目盛り
５：巻尺                    ６：フック
７：ストッパー              ８：巻尺ホルダー
９：固定用ねじ            １０：スケールガイド
１１：開口部                １２：透視板
１３：カーソル線            １４：透視板ガイド溝
１５：マーカー支持部        １６：押印具
１７：スライダガイドバー    １８：スケール収納溝
１９：ガイド溝              ２０：側壁
２１：スプリング            ２２：固定ねじ
２３：吊り下げ具
【図１】
0003174564.tif 000003
【図２】
0003174564.tif 000004
【図３】
0003174564.tif 000005
【図４】
0003174564.tif 000006